Podtech/llm-jp-corpus-v4-ja_patent huggingface dataset:
(57)【要約】      （修正有）【課題】ボールト、ナットの緩みの現象を、締結する材料と接触する面の形状を工夫することで解決したい。【解決手段】材料と接触する面を凹面鏡状にすること。【選択図】図１
2011021740.tif 000002
【特許請求の範囲】
【請求項１】
振動や温度変化等に依って生ずるネジの緩み現象を軽減する手段として、締結する材料と接触する面の中心部分を、外周より凹ませることによって実現すること。
【発明の詳細な説明】
【技術分野】
【０００１】振動に強いネジの形態に関する。
【背景技術】
【０００２】形態及び材料に付いて幾例かある。
【発明が解決しようとする課題】
【０００３】ボールト  ナットのネジ類は緩む特性からは逃れられない。これはリベットと違い回転モーメントの支配下に置かれているからであるが、この見地から緩みにくい形態を求めて行きたい。
【問題を解決するための手段】
【０００４】回転モーメントは周知のベクトル積ｒＦで示されるが、Ｆは材料の強度で決まる許容最大値で一定とすれば、ｒはネジの締め付け取り外しの回転に伴う材料の摩擦による摩耗の不均一性の為変化する。即ちネジの中心部分より外周部分は半径に比例して摩擦距離が長くなるので微視的には図１−１及び、図２−１のように接触面は凸レンズ状になる筈である。故に実効半径ｒの減少により回転モーメントは減少しネジは抜け易くなる。元来ネジの中心部分は回転モーメントに寄与することは少なく締め付けトルクには抵抗として働くので、これを除くためにも中心部を切削して図１−２の如く凹面鏡状にすることで同一トルクで締めた場合、より抜けにくい雌雄のネジとすることが出来る。
【発明の効果】
【０００５】図３の如き簡単な実験によればネジのエッジが食い込むことによる効果が加はり一義的には非常に決め難いが１．５ー３倍位の効果が得られた。自動車のタイア交換のように再度同一素材で繰り返すときは、同様に締結される側の接触面も凸状となると考えられるので、この実験以上の効果が得られると思う。
【発明を実施するための最良の形態】
【０００６】中心部を凹ます形状として加工の容易さは重要だが、切削による機械的強度の低下が最小になるよう力学的に決めなければならない。一方ネジの締め付けで中心から外周へと波紋状に及ぼす金属の歪性は弾性体としての作用も存在するので若干ながらも相乗効果も期待され、曲面決定の一要素として考慮したい。
【図面の簡単な説明】
【０００７】図面はすべて断面図であり湾曲部を誇張しているが実際には肉眼で殆ど分からない位になろう。また内径と外径比は少々圧縮して描いている。
【図１】１  変型した使用中の雌ネジ  ２  本発明の雌ネジ
【図２】１  変型した使用中の雄ネジ  ２  本発明の雄ネジ
【図３】発明の効果を見るため。
【図１】
2011021740.tif 000003
【図２】
2011021740.tif 000004
【図３】
2011021740.tif 000005
(57)【要約】【課題】ネジ外し作業性の向上を図る空気調和機のネジ取付部を提供する。【解決手段】空気調和機等の電気機器の前面枠下部１に設けられると共に、ネジ（図示せず）を目隠しする目隠し蓋３を備えた空気調和機のネジ取付部２において、前記ネジを取外す際に前記目隠し蓋３を上方向に移動させるための溝６を設けたもので、ネジを取外す際に前記目隠し蓋３が上方向に移動するので、作業時の妨げとならずネジの位置を容易に確認でき作業効率を向上させることが出来る。【選択図】図１
2011021785.tif 000002
【特許請求の範囲】
【請求項１】
空気調和機の前面枠下部に設けられると共に、ネジを目隠しする目隠し蓋を備えた前記空気調和機のネジ取付部において、前記ネジを取外す際に前記目隠し蓋を上方向に移動させるための手段を設けた空気調和機。
【発明の詳細な説明】
【技術分野】
【０００１】
本発明は、空気調和機などの電気機器のネジ取付部に関するもので、特に、ネジ取付部のくぼみを目隠しする目隠し蓋を有するネジ取付部に関するものである。
【背景技術】
【０００２】
従来の空気調和機などの電気機器のネジ取付部の構成として、図２〜４に示されるようなものがあった（例えば、特許文献１参照）。
【０００３】
図２は、上記特許文献１に記載された従来の一例である空気調和機の斜視図、図３は、同空気調和機のネジ取付部の詳細斜視図、図４は、同ネジ取付部の目隠し蓋を取り付け前の詳細斜視図である。
【０００４】
図２〜４に示すように、従来の空気調和機の前面枠下部１に設けられた数ヶ所のネジ取付部２には、弾力性を有する樹脂材にて構成された目隠し蓋３を取付けて、ネジ４を隠していた（例えば、特許文献１参照）。
【先行技術文献】
【特許文献】
【０００５】
【特許文献１】特開２０００−１９３２６７号公報
【発明の概要】
【発明が解決しようとする課題】
【０００６】
空気調和機などの電気機器は、通常高所に取付けられており、ネジを工具で外そうとする際に、作業者の視線は下側から見上げることになるが、上記従来の電気機器のネジ取付部の構成では、目隠し蓋３が下側に位置されるため、作業時の妨げとなりネジ４が見えにくいという課題を有していた。
【０００７】
本発明は、前記従来の課題を解決するもので、手前に引き出される目隠し蓋を上側に位置するようにすることで、ネジの取り付け、取り外し作業時の妨げとならない空気調和機のネジ取付部を提供することを目的とする。
【課題を解決するための手段】
【０００８】
前記従来の課題を解決するために、本発明の空気調和機は、該空気調和機の前面枠下部に設けられると共にネジを目隠しする目隠し蓋を備え、前記ネジを取外す際に前記目隠し蓋を上方向に移動させるための手段を設けたもので、ネジを取外す際に前記目隠し蓋が上方向に移動するので、作業時の妨げとならずネジの位置を容易に確認でき作業効率を向上させることが出来る。
【発明の効果】
【０００９】
本発明の空気調和機は、該空気調和機の前面枠下部に設けられた手段によって、目隠し蓋を上側に位置させることにより、作業時の妨げとならずネジの位置を容易に確認でき作業効率を向上させることが出来る。
【図面の簡単な説明】
【００１０】
【図１】本発明の実施の形態１における電気機器のネジ取付部を設けた電気機器の前面枠の詳細斜視図
【図２】従来の電気機器の一例である空気調和機の斜視図
【図３】同空気調和機のネジ取付部の詳細斜視図
【図４】同ネジ取付部の目隠し蓋を取り付け前の詳細斜視図
【発明を実施するための形態】
【００１１】
第１の発明は、空気調和機の前面枠下部に設けられると共にネジを目隠しする目隠し蓋を備えた空気調和機のネジ取付部において、前記ネジを取外す際に前記目隠し蓋を上方向に移動させるための手段を設けたもので、ネジを取外す際に前記目隠し蓋が上方向に移動するので、作業時の妨げとならずネジの位置を容易に確認でき作業効率を向上させることが出来る。
【００１２】
以下、本発明の実施の形態について、図面を参照しながら説明する。なお、この実施の形態によって本発明が限定されるものではない。
【００１３】
（実施の形態１）
図１は、本発明の実施の形態１における空気調和機のネジ取付部を設けた前記空気調和機の前面枠の詳細斜視図である。尚、上記従来の空気調和機のネジ取付部と同一部分には同一符号を付して、その詳細説明を省略する。
【００１４】
図１に示すように、本実施の形態における空気調和機のネジ取付部２は、該空気調和機の前面枠下部１に設けられると共に、目隠し蓋３を手前に引き出してきた際に、それを上側に誘い込むような溝形状の手段として溝６を形成したものである。
【００１５】
この溝６の誘い込み形状によって、目隠し蓋３は引き出したときに、最終上側に固定されるようになり、ネジ４を外す作業時に、下からの視線の妨げとならずネジ４の脱着時の作業性の向上を図ることが出来る。
【産業上の利用可能性】
【００１６】
以上のように、本発明の空気調和機のネジ取付部は、ネジを外す際の視線の妨げにならず作業効率を向上することが出来るもので、空気調和機や換気扇など、高所に設けられた各種電気機器に適用できる。
【符号の説明】
【００１７】
１  前面枠下部
２  ネジ取付部
３  目隠し蓋
４  ネジ
５  突起
６  溝（手段）
【図１】
2011021785.tif 000003
【図２】
2011021785.tif 000004
【図３】
2011021785.tif 000005
【図４】
2011021785.tif 000006
(57)【要約】      （修正有）【課題】バイオマス資源の処理においては、高温高圧処理、ガス化、微生物利用等、高度な技術開発が導入されているが、効率面においては評価されるが、高額な設備とランニングコストを要するなど、経済、実用面で改良して、高額の容器、設備投資を要しないバイオマスの資源処理方法を提供する。【解決手段】廃棄物系バイオマスである農産物残渣、食品廃棄物を古来の技術の開発により炭化し、木酢液、竹酢液、籾酢液、諸植物酢等の留出液を製造する。【選択図】なし【特許請求の範囲】
【請求項１】
バイオマス資源を炭化し、木質、籾殻、諸植物等からの留出液の活用とその製造方法。
【請求項２】
バイオマス資源を炭化し、木酢液、竹酢液、籾酢液、諸植物酢等の留出液の単一製造、複合製造から得た化学組成、機能性の各種バイオマス資源の変換技術を特徴とする。
【請求項３】
諸植物の熱分解液製造が得られることを特徴とする。
【請求項４】
諸植物の熱分解液物質を珪藻土、貝殻、澱粉等に含ませて顆粒、粉末に含有反応させることにより、同等の成果を得ることを特徴とした製造方法。
【発明の詳細な説明】
【技術分野】
【０００１】本発明は、炭化の過程で発生する木酢液、竹酢液、籾酢液（籾殻を炭化されて得られる留出液）、諸植物酢など、化学組成の類似、機能性においても類似していることから、共通の製造技術で同機能が期待できる。
【背景技術】
【０００２】バイオマス資源の処理においては、高温高圧処理、ガス化、微生物利用等において高度な技術開発が導入されている。しかし、効率面においては評価されるが、高額な設備とランニングコスト面においての経済、実用面では難点があり、研究の進展が期待されている。
【発明の開示】
【発明が解決しようとする課題】
【０００３】前記、従来のバイオマス処理は、経済的、実用的な技術とは言い切れないままに用いられてきたが、古来の炭化技術の炭化プロセスから得られる主生成物の炭、副生成物の木酢液、竹酢液、籾酢液、諸植物酢等の林産廃棄物、農産廃棄物など、バイオマスの資源処理を高額の容器、設備投資を要しない炭化処理方法の見直しこそ原理に適している。【０００４】本発明は、このような実状に鑑みなされたものであり，古来の技術開発でもって課題解決し、その提供を目的とする。
【課題を解決するための手段】
【０００５】課題を解決するための技術は、地球温暖化対策の一環であるところの炭酸ガスの発生削減と廃棄物リサイクル促進の循環型社会の構築と推進戦略を図ったことによって合理的構成が得られ、この発明に到達した。
【発明の効果】
【０００６】以上のように、本発明技術は、廃棄物系バイオマスの農産物残渣、食品廃棄物を無駄なく発揮され環境への影響を低減するのを目的とする。よって、地域資源の利用技術となり地域産業に貢献をする。【０００７】炭化技術は、原理が簡単で経済的にも技術的にもバイオマスエネルギーの変換技術として世界の製造方法といえる。【０００８】農産物の加工過程での廃棄物の炭化処理、農産物の収穫の時に発生する稲わら、籾殻、麦わら、お茶ガラ等は大量発生する。これらは安定、安全、しかも、経済性に優れた実用用材ができる。しかも、天然資源の活用から安定供給ができる、炭化処理は、規模の自在設定ができることを特徴とする。
【発明を実施するための最良の形態】
【０００９】本発明は、バイオマス資源を有効に短時間で、効率よく、経済的に変換する技術として適している。炭化処理においてのプロセスで得られる炭や諸留出液は、いろいろな機能を有する物質が含有している。【００１０】上記技術でもっての熱分解留出液体物質の製造方法は容易に出来ることを特徴とした。
【産業上の利用可能性】
【００１１】本発明の、炭化技術は、バイオマス資源の炭化処理によって得られる木酢液、竹酢液、籾酢液、諸植物からの留出液に関する機能性バイオマス資源の有効成分への変換技術を提供するものである。本処理技術は、化学資源への変換技術、生物化学への変換製造方法に比し、経済的、合理的ならびに作業能率に関する。
【図面の簡単な説明】
【００１２】
【図１】斜視図
【符号の説明】
【００１３】１、燃焼炉
２、焚き口
３、燃焼炉の上蓋
４、排気筒
５、木酢液、竹酢液、籾酢液、諸植物酢液の採集装置
【図１】
2011021168.tif 000002
(57)【要約】      （修正有）【課題】煙草の喫煙から吐き出される排煙を浄化して、周囲にいる人の健康を守ることを目的とする。【解決手段】煙草の喫煙から吐き出される有害物質をフイルターに抗がん剤等を染み込ませた濾過装置３を排気側に設置し濾過装置と換気扇１が一体型の換気装置を作成し。煙草を喫煙して吐き出すときは、換気扇煙草排煙無害化装置のスイッチ５をＯＮにして換気扇に向かって煙を吐き出せば、濾過装置を通過して排出されるので発癌物質は浄化されて無害となって放出されることを特徴とした、煙草排煙無害化装置なるものを提供する。【選択図】図１
2011021869.tif 000002
【特許請求の範囲】
【請求項１】
換気扇の排気側に取り付けるフイルターに抗癌剤を染み込ませ有害物質を浄化する濾過装置を設置する。濾過装置は汚れたら容易に交換できる構造とした換気扇と一体型の換気装置を作成する。煙草を喫煙する時は換気装置を回転させながら換気扇に向かって煙草の煙を吐き出せば、換気装置の吸引作用により、発癌性を含んだ有害物質は濾過装置を確実に通過して浄化され無害となって放出されことを特徴とした、換気扇煙草排煙無害化装置。
【発明の詳細な説明】
【技術分野】
【０００１】換気装置の排気部分に設置するフィルターに抗癌剤などがしみこんでいるフイルターを用い、交換が容易な構造のした濾過装置をと換気扇と一体化換気装置とする、煙草を喫煙して煙を吐き出すときは換気扇に向かって煙を吐き出せば、換気扇の吸引作用により濾過装置を通過して排出されるので発癌物質は浄化され無害となるから、他人の健康を害することは無い。
【図面の簡単な説明】
【０００２】
【図１】図１は常に移動する場所所でも喫煙が出来る携帯型を用いた場合の換気扇煙草排煙無害化装置の斜視図であって移動場所で煙草を喫煙する時はバッグあるいはポケット等から換気扇煙草排煙無害化装置を取り出し（６）の煙を吐き出す時は（５）のスイッチをＯＮにして（１）の換気扇を回転させれば（６）の吐き出した排煙は（３）の濾過装置を通過して浄化され（７）の排気は無害化され放出される。
【符号の説明】
【０００３】（１）換気扇（２）排煙収集枠（３）濾過装置（４）電源乾電池（５）スイッチ（６）吐き出し排煙（７）浄化された無害排煙
【図１】
2011021869.tif 000003
(57)【要約】      （修正有）【課題】食べ物のシミや、習字の墨、ボールペンの跡などを通常の洗剤では落とせないものを落すことができる洗濯用洗剤を提供する。【解決手段】加熱した米に、化粧落としのクレンザーを混ぜ合わせたペースト状洗濯用洗剤で、液状のもの、固形のものと違い、繊維の中に入り込んで、すすぎで汚れを落とす家庭用洗濯用洗剤。【選択図】なし【特許請求の範囲】
【請求項１】
本発明は、墨汁などの家庭で洗濯できなかった汚れを、加熱した米に、化粧落としのクレンザーを混ぜ合わせたもので、汚れに直接練りこめるペースト状にし、繊維の中に入り込んで、すすぎで汚れを落とす家庭用洗濯洗剤。
【請求項２】
成分：  加熱後の米、化粧落としクレンザー（例：パルミチン酸オクチル、ポリソルベート８５、オレンジ油、ユーカリ葉油、セスキオレイン酸ソルビタン、トコフェロール、フェノキシエタノール）を成分とする家庭用洗濯洗剤。
【発明の詳細な説明】
【技術分野】
【０００１】
本発明は、墨汁、ボールペンの跡、絵の具のしみ、食べこぼしのしみ等を、家庭でつまみ洗いで洗濯できるペースト状の洗濯洗剤に関する。
【背景技術】
【０００２】
食べ物のシミや、墨汁、ボールペンの跡など通常の洗剤では落とせないものが、多数ある。
従来家庭では、墨汁のシミやボールペンのインクは、食べこぼしのシミを、手軽に落とせる洗剤は無かった。
民間の知恵の中で、炊いた米粒を墨汁のシミに刷り込むと汚れが落ちるといわれているが、実際は、汚れを落としきれていない。
本発明は、上記従来技術の課題及び現状に鑑み、これを解消しようとするものであり、墨汁やボールペン、絵の具食べこぼしのしみを、家庭でも手軽につまみ洗いできるものである。
【発明の開示】
【課題を解決するための手段】
【０００３】
本発明者は、上記従来の「墨汁のシミを落とす」課題を解決するために、自宅にあるものでシミを綺麗に落とせないかと試行錯誤した末、本発明を解決するに至った。
さらに、ボールペンのシミも、同様の物で洗った結果、家庭でのつまみ洗いで洗濯できることにいたった。
さらに、時間の経った食べこぼしのしみにも本発明をしようしたところ、綺麗に落とすことができた。
以上の実際の活用の結果から、今まで家庭で落とすことのできなかった汚れを、落とすことが分かった.
すなわち、本発明は今まで家庭では、洗い落とすことのできなかったシミを落とすことのできる加熱した米と洗顔用クレンジングオイルを混合したつまみ洗い用家庭用洗濯洗剤。
【発明の効果】
【０００４】
本発明によれば、今までシミになってしまっていた、墨汁やボールペンの跡のある衣類の汚れを、家庭での手洗いで洗い落とすことができる洗剤を提供できる。
通常の洗剤では落とせなかった、習字の墨や食べこぼしのシミ、ボールペンの跡などをおとすことができる洗濯用洗剤が提供できる。
【発明を実施するための最良の形態】
【０００５】
以下に、本発明の実施形態を詳しく説明する。
本発明の洗濯用洗剤は、加熱した米を原料として、そこに、洗顔用クレンザーを練りこんだものである。
本発明の洗濯用洗剤に用いた洗顔用クレンザーの成分は、パルミチン酸オクチル、ポリソルベート８５、オレンジ油、ユーカリ葉油、セスキオレイン酸ソルビタン、トコフェロール、フェノキシエタノールである。
【実施例１】
【０００６】
こどものチノパン（綿製ながズボン）に習字の墨汁のはね飛んだシミ。
本発明洗濯洗剤をつけ家庭用洗面台の水道水でつまみ洗いをした。その後通常の洗濯物と一緒に,洗濯機で洗浄。
シミは綺麗に取れていた。
【実施例２】
【０００７】
胸ポケットにふたをせずに入れてしまったボールペンのインクのシミ。
本発明洗濯洗剤をつけ家庭用洗面台の水道水でつまみ洗いをした。その後通常の洗濯物と一緒に,洗濯機で洗浄。
シミは綺麗に取れていた。
【実施例３】
【０００８】
ポロシャツについた２年前の習字の墨汁のはね飛んだシミ。
本発明洗濯洗剤をつけて家庭用洗面台の水道水でつまみ洗いをした。ポロシャツの重なりあった奥の繊維までは届かず、奥のシミは残ってしまった。
【実施例４】
【０００９】
こどもの食べこぼしのシミ。
友人より譲り受けたTシャツの時間の経った食べこぼしのシミ。
本発明をつけ家庭用洗面台の水道水でつまみ洗いをした。その後通常の洗濯物と一緒に,洗濯機で洗浄。
シミは綺麗に取れていた。
【００１０】
[比較実験]
実験１．１,墨汁、２,ボールペンのインク、３,絵の具、４,ケチャップ、５,ソース、６,しょうゆ、７,カレー。
上記素材を、綿メリアス地に添付しシミを作った後、本発明洗濯洗剤をつけ、家庭用洗面台の水道水でつまみ洗い。
実験２．１,墨汁、２,ボールペンのインク、３,絵の具、４,ケチャップ、５,ソース、６,しょうゆ、７,カレー。
上記素材を、綿メリアス地に添付しシミを作った後３日以上放置し、本発明洗濯洗剤をつけ、家庭用洗面台の水道水でつまみ洗い。
シミ汚れの洗浄力の評価方法。
シミ部分に本発明洗濯洗剤をつけ、家庭用洗面台の水道水でつまみ洗い。汚れの落ち具合を、目視で評価した。
◎  汚れが完全に落ちた。
〇  汚れがほとんど落ちた。
△  汚れが一部残っている。
×  汚れがほとんど残っている。
【００１１】
【表１】
2011021089.tif 000002
【００１２】
上記表の結果から明らかになるように、本発明の範囲となる実験例は、１〜４では明らかに優れたものであると、判断できる。
【産業上の利用可能性】
【００１３】
通常家庭で洗い落とすことができなかった墨汁、ボールペンのインク、絵の具、ケチャップ等食べこぼし汚れを、家庭で洗える洗剤に関する。
(57)【要約】【課題】和服の帯の柄は織りや染め等で出来た固定的不変のものであり、ＴＰＯあるいは和装全体の様態によってその都度取り替えなければならない。一本で複数のＴＰＯに対応出来、着物の様態に会わせて柄を変えることが出来、またコマーシャル等の動画を放映出来る帯を提供する。加えて織りや染め等従来品の販売においてもさまざまな帯柄を仮想体験できる帯を提供する。【解決手段】帯を人の胴体に絞めた状態において前部表面にフレキシブルで薄く、湾曲するディスプレイを取り付ける。ディスプレイの駆動ユニットは帯のお太鼓あるいは帯の内部、もしくはおはしょり、帯あげその他着物のいずれかの部分に配置する。駆動ユニットは帯締め状のケーブル、帯留め状のコントローラーと接続される。【選択図】図１
2011021307.tif 000002
【特許請求の範囲】
【請求項１】
和服の帯にフレキシブルで薄く、湾曲する有機ＥＬ等のディスプレイを取り付け、静止画像あるいは動画を放映出来る事を特徴とする帯。
【請求項２】
帯のお太鼓あるいは帯の内部、もしくはおはしょり、帯あげあるいは着物のいずれかの部分に請求項１のディスプレイを表示させるための駆動ユニットを配置したもの。
【請求項３】
請求項２の駆動ユニットとディスプレイを結ぶケーブルを帯締め内部に収納したもの。
【請求項４】
請求項３のケーブルと接続する帯留め状の形体を有する、主としてボタン操作が可能なコントローラー。
【発明の詳細な説明】
【技術分野】
【０００１】和服の帯と帯締め及び帯留めに関するものである。
【背景技術】
【０００２】静止画や動画を表示するディスプレイを、薄くしかも屈曲させることが出来る有機ＥＬ等の技術が開発された。
【発明の開示】
【発明が解決しようとする課題】
【０００３】和服の帯の柄は元来織りや染め等で出来た固定的不変のものであり、ＴＰＯあるいは和装全体の様態によって取り替えなければならない。一本で複数絵柄を表示出来、更に動画を放映出来る帯を提供する。
【課題を解決するための手段】
【０００４】帯を人の胴体に絞めた状態において前部表面にフレキシブルで薄く、湾曲するディスプレイを取り付ける。ディスプレイの駆動ユニットは帯のお太鼓あるいは帯の内部、もしくはおはしょり、帯あげあるいは着物のいずれかの部分に配置する。ディスプレイは駆動ユニットから延びる帯締めの内部を通過させるケーブルと帯留め形状のコントローラーで制御する。以上の機構により帯柄を自在に変化させる。帯の種類は男物、女物のいずれでも良い。
【発明の効果】
【０００５】この帯の所持人は一本の帯で様々な和装シーンに合わせて帯柄を変更することが出来るようになり、又企業等のコマーシャルも放映出来るようになる。従来品の帯の販売においてもあらかじめ在庫品の帯の柄を画像データとして駆動ユニットの記憶部に取り込んでおけばいちいち帯を取り替えることなく着物に合う帯の柄を仮想的に選択する事が出来る。
【発明を実施するための最良の形態】
【０００６】［図１］を参照しながら、この帯の形態を説明する。
１は静止画や動画を表示する、薄くしかも屈曲させることが出来る有機ＥＬ等のディスプレイを帯に取り付けた状態である。２はケーブルが通る帯締めである。３は帯留め状の形体を有するボタン操作等が可能なコントローラーである。４は胴体前部のディスプレイを駆動させるお太鼓に収納されたユニットである。図示しないがこの駆動ユニットは着物全体の収納可能な場所であればどこでもよい。
【産業上の利用可能性】
【０００７】一本で複数の柄を楽しめる高い商品価値。一本で様々なＴＰＯに合わせて柄を変えられる省資源性。新型の広告媒体。従来品の帯の販売においても、絞め直すことなくさまざまな帯の柄を仮想体験できる販売促進装置。
【図面の簡単な説明】
【０００８】
【図１】実施形態及び構成要素を示した図である。
【図１】
2011021307.tif 000003
(57)【要約】【課題】気泡検出器を備える磁気駆動ポンプを提供する。【解決手段】磁気駆動ポンプは、遠心ポンプを駆動する電磁継手を有し、かつ流体ポンプのウエット側４０とドライ側２３とを隔てるシール壁部２２を備える。モータによって、ベアリングハウジング２４を通るシャフト２８が駆動され、シャフト２８によって、外側磁気ロータ３０が駆動される。外側磁気ロータ３０は、シール壁部２２の半径方向外側に位置し、内側磁気ロータ３２は、シール壁部２２の半径方向内側に位置する。外側磁気ロータの回転により、内側磁気ロータ３２が回転する。内側磁気ロータ３２は、遠心ポンプインペラ３４を駆動させて液体を移動させる。シール壁部２２の外側でポンプのドライ側２３に位置する気泡検出器３６は、ポンプのウエット側４０に信号を送信して、ポンプの液体内における気体の存在を特定する。【選択図】図１
2011021596.tif 000002
【特許請求の範囲】
【請求項１】
シャフトを介して電磁継手を駆動するモータと、
内側磁気ロータと、
気泡検出器と、
を備える磁気駆動ポンプであって、
前記シャフトは、外側磁気ロータを駆動し、該外側磁気ロータは、シール壁部の半径方向外側に位置し、
前記内側磁気ロータは、前記シール壁部の半径方向内側に位置し、該内側磁気ロータの回転によって遠心ポンプインペラによる液体の移送がなされ、
前記気泡検出器は、前記シール壁部の外側でかつ前記ポンプのドライ側に位置し、かつポンプの液体内における気体の存在を特定するように前記ポンプのウエット側に信号を送信することを特徴とする磁気駆動ポンプ。
【請求項２】
前記気泡検出器は、超音波検出器であることを特徴とする請求項１に記載の磁気駆動ポンプ。
【請求項３】
前記気泡検出器は、コントローラと連通することを特徴とする請求項１に記載の磁気駆動ポンプ。
【請求項４】
前記気泡検出器は、前記遠心ポンプインペラから離間した前記ポンプのウエット側の一部と隣接して配置されることを特徴とする請求項１に記載の磁気駆動ポンプ。
【請求項５】
前記遠心ポンプインペラは、ハウジングによって気泡検出器に対応する前記ウエット側の一部から隔てられることを特徴とする請求項４に記載の磁気駆動ポンプ。
【発明の詳細な説明】
【技術分野】
【０００１】
本発明は、磁気駆動ポンプにおける液体流内の気体を検知する検知器に関する。
【背景技術】
【０００２】
磁気駆動ポンプは周知であり、通常、遠心ポンプインペラを駆動する電磁継手を含んでいる。電磁継手の外側磁気ロータはモータに接続される。電磁継手の内側磁気ロータは、ポンプインペラに接続される。外側磁気ロータと内側磁気ロータとの間に配置されるシール壁部は、完全な流体シールを付与し、ドライ側に外側磁気ロータを維持する。液体は、シール壁部の内側におけるウエット側内で循環する。液体は遠心ポンプインペラによって入口から出口へと移送される。
【０００３】
従来技術では、気泡あるいはポンプのウエット側内の液体内に存在する他の気体を検出する気泡検出器を備えている。
【発明の概要】
【課題を解決するための手段】
【０００４】
磁気駆動ポンプは、遠心ポンプを駆動する電磁継手を有する。モータは、電磁継手の外側磁気ロータを駆動する。外側磁気ロータは、シール壁部の半径方向外側に位置する。内側磁気ロータは、シール壁部の半径方向内側に位置する。外側磁気ロータの回転により、内側磁気ロータが回転する。内側磁気ロータは、遠心ポンプインペラを駆動して液体を移送する。気泡検出器は、シール壁部の外側でかつポンプのドライ側に位置する。気泡検出器は、ポンプの液体内における気体の存在を特定するようにポンプのウエット側に信号を送信する。
【０００５】
以下の発明を実施するための形態および図面を参照することにより、本発明の上記および他の利点を理解することができる。以下に図面の簡単な説明について記載する。
【図面の簡単な説明】
【０００６】
【図１】本発明のポンプの断面図。
【図２】気泡検知装置の取付部分の詳細図。
【発明を実施するための形態】
【０００７】
図１に磁気駆動ポンプを示す。該磁気駆動ポンプは、流体ポンプのウエット側４０とドライ側２３とを隔てるシール壁部２２を備える。別個のモータによって、ベアリングハウジング２４を通るシャフト２８が駆動される。シャフト２８は、シール壁部２２の外側に位置する外側磁気ロータ３０を駆動する。磁束は、シール壁部２２を通り、内側磁気ロータ３２を駆動する。遠心ポンプインペラ３４は、内側磁気ロータ３２に接続される。流体は入口３５からインペラ３４へと流れ、出口３７へと送られる。
【０００８】
気泡（バブル）検知装置３６は、シール壁部２２の外側に位置し、コントローラ３８と連通する。気泡検知装置は、超音波信号を送信かつ受信する超音波装置とすることができる。液体を通す信号の伝達は、気体を通す信号の伝達と異なる。そのため、気泡検知装置は、ウエットチャンバ内の流体が液体であるか、気体であるか、または液体と気体の混合物であるかを判断することができる。
【０００９】
磁気駆動ポンプは、ウエット側４０を有し、このウエット側４０は、液体がシール壁部２２の半径方向内側の構成要素の周囲を循環するようにインペラ３４によって圧送された液体の一部を受ける。シール壁部２２の半径方向外側に位置するドライ側２３は、液体を受けない。ドライ側２３には気泡検知装置３６が位置する。
【００１０】
理解されるように、気泡検知装置３６は、インペラ３４から離間したウエット側４０の一部に面している。この位置によって、気泡検知装置３６がハウジング壁部１００によってインペラから離間したチャンバの一部と整列する。
【００１１】
図１，２から分かるように、気泡検知装置３６は、ブッシングホルダ１００と対向するように位置する。外側ハウジング壁部１０１は、気泡検知装置３６をクランプ締めしてハウジングに保持するようにオリーブ／ナット機構（ｏｌｉｖｅ／ｎｕｔ  ａｒｒａｎｇｅｍｅｎｔ）１１０を受ける。
【００１２】
シール壁部２２は、非磁性材料から形成される。壁部２２を通して信号を対向する面に対して送信する適切な超音波トランスミッタを形成する技術は周知である。コントローラ３８は、戻り信号を分析することによって、ポンプ流体内に蒸気や気体の気泡が存在するかを判断する。
【００１３】
本発明の実施例について説明してきたが、当業者であれば本発明の範囲を逸脱することなく特定の修正および変更が加えられることを理解されるであろう。したがって、本発明の真の内容および範囲を決定するために添付の特許請求の範囲を検討されたい。
【符号の説明】
【００１４】
２２  シール壁部
２３  ドライ側
２４  ベアリングハウジング
２８  シャフト
３０  外側磁気ロータ
３２  内側磁気ロータ
３４  遠心ポンプインペラ
３５  入口
３６  気泡検知装置
３７  出口
３８  コントローラ
４０  ウエット側
１０１  外側ハウジング壁部
【図１】
2011021596.tif 000003
【図２】
2011021596.tif 000004
(57)【要約】      （修正有）【課題】小便をするときにプライバシーを確保する。また便器の外に小便が飛散しない、衛生面を向上させた小便器の提供。【解決手段】隣の人からプライバシーを守るために隠し部を持たせ、かつ便器の幅を４００ｍｍから５００ｍｍとする。これにより隣の人から陰部を隠し小便を確実に行えるようになる。また幅を広くとることによって、便器に触れにくくし清潔感を保つ。小便が便器の外に落下しないよう受け部を通常より面積を広げ高さを高くする。これにより足元に落下する小便を便器内で受け取るようにし衛生面を向上させる。洗浄用の水の出口から受け部のふちに沿って洗浄時のホース（キ）を設置する。これにより広い面積の受け部全体に水が流れ、清潔に保つ。【選択図】図４
2011021455.tif 000002
【特許請求の範囲】
【請求項１】
隣から陰部を見えないようにする隠し部を持つ便器の構造。（図２参照）
【請求項２】
足もとが汚れないようにする受け部を持つ便器の構造。（図１参照）
【請求項３】
受け部の全体を洗浄するためのホース（図４参照）
【発明の詳細な説明】
【技術分野】
【０００１】  この発明は、男性用小便器を使用することに関することである。
【背景技術】
【０００２】  従来の小便器では、複数の人が並んで小便をすると、隣の人から陰部が見えてしまい、プライバシーが守られない。これを防止するためには便器に向かって腰を突き出すような姿勢をとらなければならないが、腰を突き出したときに便器に触れることになり清潔感がない。結果として、プライバシーが守られていないと隣の人を意識するあまり、一つ一つの動作が確実に行えず、小便が飛散する等の原因になる。プライバシーが守られていれば、清潔にかつ余裕をもって行動することが可能である。
また男性用小便器の足元は小便の飛散した汚れが残っているため清潔な状態を保てない。汚れが残っていると次に使用する人は便器から離れて使用しようとするため、さらに足もとが汚れるという悪循環に陥る。
【発明の概要】
【発明が解決しようとする課題】
【０００３】  そこで、小便をするときにプライバシーを確保し、一つ一つの動作を確実に行えるようにすること、便器の外に小便が飛散しないようにし、衛生面を向上させることが求められている。【０００４】  本発明はこのような清潔に小便をするために必要なことに着目し、プライバシーの保護と衛生面の向上のための構造を提供することを目的とする。
【課題を解決するための手段】
【０００５】  小便器の幅を（ア）４００ｍｍから５００ｍｍとることによって使用者が便器に触れにくい幅にし、かつ陰部を隣の人から見えないようにするために隠し部を（イ）１００ｍｍから１５０ｍｍとる。（図１参照）隣の人の視線と使用者の陰部を遮るために隠し部の高さは（ウ）２００ｍｍから４００ｍｍとる。（図２参照）【０００６】  従来の便器の形より受け部分を長くして（エ）５５０ｍｍから６５０ｍｍとる。受けの形は脚を広げることを考慮し（オ）１５０ｍｍから２００ｍｍとる。（図１参照）受け部の高さは（カ）３５０ｍｍから４５０ｍｍとる。（図２参照）【０００７】  洗浄用の水の出口から受け部のふちに沿って（キ）洗浄時のホースを設置することにより受け部全体に水が流れるようにする。（図４，図５参照）
使用者から見やすい位置に注意書き（奥まで進むこと、下がる時は躓かないように注意すること等）を明記したものを貼る。
【発明の効果】
【０００８】  隣の人から陰部が隠れるためプライバシーを守ることにより一つ一つの動作を確実に行えるようになり、小便の飛散防止になる。【０００９】  受け部分の面積を増やし、高さを３５０ｍｍから４５０ｍｍとすることによって足元への飛散が防止できる。【００１０】  便器の幅を広げることによって便器に触れず衛生的である。【００１１】  受け部に洗浄ホースを設置することにより受け部の全体に水が流れ清潔に保てる。
【図面の簡単な説明】
【図１】上から見た図（ホースなし）
【図２】左側面から見た図
【図３】正面から見た図（ホースなし）
【図４】上から見た図（ホースあり）
【図５】正面から見た図（ホースあり）
【符号の説明】（ア）……便器の幅
（イ）……隠し部の奥行
（ウ）……隠し部の高さ
（エ）……便器の奥行
（オ）……受け部の幅
（カ）……受け部の高さ
（キ）……洗浄ホース
【図１】
2011021455.tif 000003
【図２】
2011021455.tif 000004
【図３】
2011021455.tif 000005
【図４】
2011021455.tif 000006
【図５】
2011021455.tif 000007
(57)【要約】【課題】  読書中には必要のないしおりに付加価値をつけ、しおりの扱いを容易にする。【解決手段】  しおりに照明部と書籍等との連結部を設け、しおり本体の曲げ伸ばしを自由にすることで、読書中には、照明部が書面を明るくする上、読書後は、しおりを取り外しすること無く、しおり本来の役割を果たすので、読書環境の向上を計ることが出来る。【選択図】図４
2011098556.tif 000002
【特許請求の範囲】
【請求項１】
変形可能なしおり部の一端に照明部を設け、他端に、書籍等との連結留め部と、バッテリー及びスイッチ収納部を設け、照明部とバッテリー及びスイッチ収納部を配線及び曲げ補助部材でつなげたことを特徴とする照明付きしおり。
【発明の詳細な説明】
【技術分野】
【０００１】  本発明は、照明部と、書籍等との連結留め部を設けることで、読書時に書面を明るく照らすことが出来、読書後は書籍等との連結留め部はそのままで、変形可能なしおり部を曲げて書籍等の間に挟むことが出来るしおりに関するものである。
【背景技術】
【０００２】  従来のしおりは、本の間に挟むことのみを大きな目的としており、付加価値の無いもの、また、本体をブックカバー等と連結させるような手段以外では、しおり本体は常に書籍とは分離して扱われていた。
【特許文献１】特許出願２００４−３２９７６３
【特許文献２】特許出願平６−２２５４７３
【特許文献３】特許出願平５−１１７５５７
【発明の開示】
【発明が解決しようとする課題】
【０００３】  読書の前後でしおりを留めたり外したりということを行わなければならない事、読書中はしおりそのものを利用しないため、全く必要のない存在であった。
【課題を解決するための手段】
【０００４】  しおりに、読書面を明るく照らすことの出来る照明部と、書籍等との連結留め部を設ける。バッテリー及びスイッチ収納部と照明部を連結するために配線する。変形可能なしおり部本体は、曲げと、それを保持する機能があれば、素材は布、紙、木、ゴム、シリコン、プラスティック、金属等様々な素材で製作可能で、形状も自由である。また、書籍等との連結留め部はその機能を果たすものであれば、形状や素材は自由に選択出来る。照明部はしおりの機能を損なわない大きさであれば、やはり形状や素材は自由である。
【発明の効果】
【０００５】  本発明を利用することで、同じ本を数日かけて読書する場合、しおりの留め部を書籍に取り付ければ、本を読み終わるまで外す必要は無い。照明部を設けることで、読書時に書面を明るく照らすことが出来る上、本体に曲げ伸ばしが自由に出来る素材や構造を用いることで、読書中断時に本体を曲げて本の間に挟むことで、しおり本来の役目を十分に果たす。
【発明を実施するための最良の形態】
【０００６】以下、本発明の実施の形態を説明する。
（イ）変形可能なしおり部（１）、照明部（２）、書籍等との連結留め部（３）、バッテリー及びスイッチ収納部（４）、配線及び曲げ補助部材（５）から構成される。
（ロ）しおり使用時には、図４のように、書籍等（６）の適所に書籍等との連結留め部（３）でしおりを取り付ける。
【図面の簡単な説明】
【０００７】
【図１】本発明本体正面図
【図２】本発明本体側面図
【図３】本発明の本体を曲げた時の状態を示す斜視図
【図４】本発明を読書中の本にしおりとして使用する場合の状態を示す斜視図。
【符号の説明】
【０００８】１  変形可能なしおり部
２  照明部
３  書籍等との連結留め部
４  バッテリー及びスイッチ収納部
５  配線及び曲げ補助部材
６  書籍等
【図１】
2011098556.tif 000003
【図２】
2011098556.tif 000004
【図３】
2011098556.tif 000005
【図４】
2011098556.tif 000006
(57)【要約】【課題】ストレスを手軽に発散させるノートブックを提供する。【解決手段】自分が現在感じている不快感や怒り、不満、不安等のマイナスイメージをノートブックのページに書き込み、そのページを破り取って燃やすことにより、ストレスを発散するためのノートブックである旨の説明書きをし、且つ燃やすページに破り取りやすいように、ミシン目を入れた。【選択図】図２
2011098557.tif 000002
【特許請求の範囲】
【請求項１】
自分が現在感じている不快感や怒り、不満、不安等のマイナスイメージをノートブックのページに書き込み、そのページを破り取って燃やすことにより、ストレスを発散するためのノートブックである旨の説明書きをし、且つ燃やすページに破り取りやすいように、ミシン目を入れたノートブック。
【発明の詳細な説明】
【技術分野】
【０００１】本発明は、自分が感じている不快感や怒り、不満、不安等のマイナスイメージをノートブックのページに書き込み、そのページを破り取って燃やすことにより、ストレスの発散をするためのノートブックに関するものである。
【背景技術】
【０００２】従来は燃やすためのノートブックはなかった。
【発明の概要】
【発明が解決しようとする課題】
【０００３】現代社会において、多くの人々がストレスを感じながら生活を営んでいるが、このストレスを手軽に発散する有効な手段はなかった。
本発明は、この課題を解消するためになされたものである。
【課題を解決するための手段】
【０００４】自分が感じている不快感や怒り、不満、不安等のマイナスイメージをノートブックのページに書き込み、そのページを破り取って燃やすことによりストレスを発散させるためのノートブックである旨の説明書きをし、且つ燃やすページに破り取りやすくするためミシン目をいれたノートブックである。
【発明の効果】
【０００５】使用目的および使用方法が説明書きされているため、誰にでも簡単に利用することができ、手軽にストレスの発散ができる。且つ燃やすページにミシン目が入れてあるため、破り取りやすい。
【図面の簡単な説明】
【０００６】
【図１】本発明の正面図である。
【図２】本発明の見開き図である。
【発明を実施するための形態】
【０００７】以下、本発明の実施の形態について説明する。
（イ）、ノートブックの初め数ページに使用目的および使用方法の説明書きがある。
（ロ）、燃やすページにミシン目を入れる。
【符号の説明】
【０００８】１，ノートブック本体
２，使用目的および使用方法の説明書きのページ
３，燃やすページ
４，ミシン目
【図１】
2011098557.tif 000003
【図２】
2011098557.tif 000004
(57)【要約】      （修正有）【課題】電動工具用シャフト付き耐水性スポンジ研磨具に関し、内部に窪んだ曲面を有するワークを均等に研磨する。【解決手段】耐水性のスポンジ研磨材３の形状を球体または半球体または棒状にして、電動工具用のシャフト４に取り付ける。耐水性のスポンジ研磨材３の大きさ、目の粗さ等、適度なものを選択し、速度調整しながら研磨し、場合によっては水を付けて、もしくは水中で研磨することによって、どんな磨き難い曲面も精度が増して仕上げる事が可能となる。【選択図】図１
2011098431.tif 000002
【特許請求の範囲】
【請求項１】
回転式電動工具用の金属製シャフトに付けた球体または半球状または棒状の耐水性スポンジ研磨具。
【発明の詳細な説明】
【技術分野】
【０００１】  本発明は電動工具用シャフト付き耐水性スポンジ研磨具の形状に関するものである。
【背景技術】
【０００２】  主に窪んだ曲面の仕上げに効力を発揮し、広く一般的に使われる。
【発明の概要】
【発明が解決しようとする課題】
【０００３】  シート状、ブロック状のスポンジ研磨具は外面の曲面を研磨するのには適しているが、図４、図５、図６の様に窪んだ面や深くえぐれた内部の研磨は難しく内径が小さい物は指が入らないので磨くのは困難である。【０００４】  硬い素材では均等な曲面が出し辛く、その内径と同じ大きさの研磨道具でないと効果が無く、精度を求めた仕上げは困難である。
【課題を解決するための手段】
【０００５】  電動工具用シャフト付きスポンジ研磨具の形状を球体または曲面にする。
図１、図２、図３の様に金属製シャフト（４）にスポンジ（３）を接着し耐水性接着剤（２）にて研磨剤（１）を付着させる構造とする。【０００６】  スポンジのサイズや形状、シャフトの太さ、研磨素材の粒子の粗さ細かさも各種揃える。
【発明の効果】
【０００７】  弾力のある球体研磨具を電動工具に取り付ける事により図６の様に手の入らない様な小さな径の凹部分でも均等に研磨出来る。【０００８】  図５の様に口が狭くえぐれている様な場所も容易に磨ける。【０００９】  目の細かい物を使えば鏡面にも仕上げる事が出来、目の粗い物では効率よく滑らかな凹面を仕上げる事が出来る。
【図面の簡単な説明】
【図１】  本発明に関る球体研磨具の断面構造図
【図２】  本発明に関る半球体研磨具の断面構造図
【図３】  本発明に関る棒状研磨具の断面構造図
【図４】  球体研磨具の使用例
【図５】  半球体研磨具の使用例
【図６】  棒状研磨具の使用例
【符号の説明】  １・・・研磨材
２・・・耐水性接着剤
３・・・スポンジ
４・・・金属製シャフト
【発明を実施するための形態】
【００１０】  以下添付図面を参照にして、本発明を説明する。
基本的に電動工具に取り付けて使用する。
目の粗さ、大きさ等、適度な物を選択し速度調整しながら研磨して行く。
場合によっては水を付けて、もしくは水中で研磨をする。
【００１１】  スポンジのサイズは内径に近い物を選択するが用途により大きめ、小さめでも使用可能である。
【実施例】
【００１３】  自作のシャフト付きスポンジ研磨具を使用し図２の様な部品を製作。
仕上がり精度、使いやすさ共に良好。
【産業上の利用可能性】
【００１４】  本発明はアクセサリー等の貴金属の製作時の研磨や仕上げ、模型全般、彫刻や木工クラフト関係全般に広い分野で使用されると見ています。
【図１】
2011098431.tif 000003
【図２】
2011098431.tif 000004
【図３】
2011098431.tif 000005
【図４】
2011098431.tif 000006
【図５】
2011098431.tif 000007
【図６】
2011098431.tif 000008
(57)【要約】【課題】  車輪単体に操舵及び懸架機能を発生せしめ、道具、機具の操作性を向上させる。【解決手段】  車輪のスポークをハブ部とリム部に分割し、ハブ部のスポークにハブホルダー（２）、リム部のスポークにリムホルダー（３）を設定する。略円筒状から成るアジャスター（１）は、外周円の中心と内周円の中心をあらかじめ別々の位置に設定した形状で、アジャスター（１）の外周円上とリムホルダー（３）を連結し、アジャスター（１）の内周円上とハブホルダー（２）を連結する。  上記構造体の車輪のリムとハブの中心は別々の位置に存在するため、車輪の回転時アジャスター（１）が両ホルダーとの間で保持され、摺動しつつ前後、上下に動くことを利活用することで課題を解決する。【選択図】  図１
2011098623.tif 000002
【特許請求の範囲】
【請求項１】
車輪のスポーク部をハブ部とリム部に分割し、ハブホルダー（2）とリムホルダー（3）をアジャスター（１）と連結した構造体の車輪。
【請求項２】
アジャスター（1）は略円筒状から成り、内周円と外周円の中心位置をあらかじめ別々の位置に設定し、内円周上をハブホルダー（２）と連結、外円周上をリムホルダー（３）連結した構造体で、各々が保持、摺動する。
【請求項３】
上記、請求項１、請求項２の車輪はハブの中心とリムの中心が別々の位置にあるため、車輪の回転に呼応しアジャスター（１）がハブホルダー（２）とリムホルダー（３）の間で前後、上下の動きをすることで、ハブの中心とリムの中心の位置関係を任意に変化させることが出来る構造体の車輪。
【発明の詳細な説明】
【技術分野】
【０００１】
本発明は、車輪に関する。
【背景技術】
【０００２】
従来の車輪は、ハブ、スポーク、リムで構成され、その全てが一体型で軸との連結部のハブの中心と、接地面と接面するリムの中心が同一であり、転がり機能と車体を支える強度を必要とする構造体である。
【先行技術文献】
【特許文献】
【０００３】
【特許文献１】特開２００３−３３４０３号公報
【発明の概要】
【発明が解決しようとする課題】
【０００４】
従来の車輪は、ハブ、スポーク、リムが一体化されているため、路面の状態が直接的に軸に反応する、従って道具及び機具の操作において課題があった。
【０００５】
本発明は、このような従来の構成が有していた問題を解決しようとするものであり、車輪のハブとリムが別々に動くことで、路面の状態に対応できる車輪を提供する。
【課題を解決するための手段】
【０００６】
ハブの中心を基点とした円周上の位置に、ハブと一体のスポークにハブホルダー（２）を設定する。そのハブホルダー（２）は単、複いずれも可能である。
【０００７】
アジャスター（１）は略円筒状から成り、外周円の中心と内周円の中心をあらかじめ別々の位置に設定し、内周円上をハブ部のホルダー（2）で保持、摺動する。外円周上はリム部のリムホルダー（３）で保持、摺動する。
【０００８】
リムの中心を基点とした円周上の位置に、リムと一体のスポークにリムホルダー（３）を設定する、尚リムホルダー（３）はホルダー（２）と同数である。
【０００９】
ハブ（４）、ハブホルダー（2）、アジャスター（１）、リムホルダー（３）リム（８）の順で構成する、本発明の車輪の原点位置は、アジャスターの最細部が垂直線上での最下部であり、最太部が最上部となる。
【００１０】
軸よりの駆動力は、駆動軸、ハブ（４）、ハブホルダー（２）、アジャスター（１）、リムホルダー（３）リム（５）の順に伝達され車輪は回転する。その際、両ホルダーでのアジャスターは左右、上下の移動を繰り返しつつ、摺動しながら駆動力を伝達する。
【００１１】
アジャスターの最細部と最太部の位置は駆動力で変化するが、アジャスターが複数の場合、その位置関係は常に平行線上に位置する。
【発明の効果】
【００１２】
本発明の車輪は、台車に設置した車輪が路面の状況に対応しながら進行するため、直進性に優れさらに、台車傾斜した場合の修正も容易にできる。
【００１３】
車輪のスポークが上下、前後の動きをすることから、車輪単体が操舵及び懸架機能を有し、台車の旋廻が容易にできる。
【図面の簡単な説明】
【００１４】
【図１】本発明の平面図を示す
【図２】本発明の側面図を示す
【発明を実施するための形態】
【００１５】
荷馬車、耕運機等の平行二輪車に本発明の車輪を装着し、走行する際に路面の凹凸の対応を車輪単体で処理することができる。
【００１６】
路面が継続的に傾斜している状況での走行時、台車に外力を加えると車輪が反応し台車の傾斜の修正ができる。
【００１７】
台車の進行方向の変更及び旋回の場合、車輪の前後、上下の変動を活用し修正作業を容易にする。
【符号の説明】
【００１８】
１  アジャスター
２  ハブホルダー
３  リムホルダー
４  ハブ
５  リム
【図１】
2011098623.tif 000003
【図２】
2011098623.tif 000004
(57)【要約】      （修正有）【課題】従来のペットボトルの注口はネジ蓋を取付けるために、２ｃｍほどの円形口から飲料を注いでいた。飲料を注ぐ、その度にペットボトル内が外気圧と差を生じ、強弱を繰返しながら脈打ちしていたために、飲料は飛跳ね飛散していた。また、注ぐ時間も一定でなかった。【解決手段】ペットボトル出口に整流パイプ又はストローを取り付け、注ぎ出す飲料を整流し、ペットボトル内を外気圧と同圧にする事で、強弱の脈打ちを繰返す事なく注ぐ事を可能にする。【選択図】図２
2011098774.tif 000002
【特許請求の範囲】
【請求項１】
ペットボトルの飲料の注ぎ時の強弱の脈打ちによって、飛跳ねによる飛散を防ぐために、貫通した穴を有するツバ付ボス、ペットボトル内を外気圧と同じするストロー、もしくは、ステンレスパイプで構成された飲料飛散防止注口弁。
また、上記の構成を一体化した飲料飛散防止注口弁。
【発明の詳細な説明】
【技術分野】
【０００１】  本発明はペットボトルの飲料を他の容器に注ぐ時に、注ぐ飲料の脈打ような強弱を防ぐ注ぎ口に関する。
【背景技術】
【０００２】  従来のペットボトルの注ぎ口は、ネジ付蓋を取付けるために直径２ｃｍほどの円形口から、飲料を注いでいた。
【発明の開示】
【発明が解決しようとする課題】
【０００３】  ペットボトルから他の容器に飲料を注ぐ際、飲料は脈打つような強弱を繰り返しながら注ぎ口から注がれるめに容器から飛び跳ね飛散していた。【０００４】  また、脈打つような強弱を繰り返しながら注がれるために、注ぎ口から注がれる量も一定でなく、注ぐ時間も不安定であった。【０００５】  本発明は、このような問題点を解決する物であり、ペットボトルの注ぎ口から飲料が強弱のある脈打をする事無く、その事に伴い飛び跳ねによる飛散も無く、注ぐ量の増減も無く、他の容器に注ぐ事のできる飲料飛散防止注口弁である。
【課題を解決するための手段】
【０００６】  本発明は、上記目的を達成するために、ペットボトルの注ぎ口に貫通した多数の穴の有る樹脂、ステンレスの素材のツバ付ボスに、そのツバ付ボスより６ｃｍ前後長いのストロー、もしくは、ステンレスパイプを３等分割、あるいは、４等分割の位置に取付けた物である。あるいは、上記の構造を一体成型した物である。
【発明の効果】
【０００７】  上記のように、貫通した多数の穴のあるツバ付ボスによって、飲料の流れは貫通穴の数だけの整流になり、３等分割、あるいは、４等分割の位置に取付けられたストロー、もしくは、ステンレスパイプからペットボトル内に外気圧と同じなる様に空気が送り込まれて、強弱のない、脈打ちの無い一定の流れを得ることができる。【０００８】  上記ような事によって、飲料の脈打ちも無くなり飛散する事無くなる。また、注ぐ時間も早く、安定して飲料を注ぐ事ができる。
【発明を実施するための最良の形態】
【０００９】  以下、本発明を図１〜図２に基づいて説明する。【００１０】  貫通した多数の穴を有し、注ぎ口が凹部になった樹脂、ステンレスの素材のツバ付ボス（１）に３等分配、あるいは、４等分割の位置に取付けた６ｃｍ前後のストロー、もしくは、スステンレスパイプ（２）で構成さている。【００１１】  上記の構成を説明すると、ツバ付ボス（１）の貫通した多数の穴によって、穴の数だけの飲料の整流ができ、整流した飲料を凹部の注口で整流をまとめ絞り、ストロー、もしくは、ステンレスパイプ（２）によってペットボトル内を外気圧と同じになる様に注ぐ度に保たれる。
【図面の簡単な説明】
【００１２】
【図１】飲料飛散防止注口弁の正面図と側面図
【図２】飲料飛散防止注口弁の使用図
【符号の説明】
【００１３】  １・・・ツバ付ボス
２・・・ストロー、もしくは、ステンレスパイプ
３・・・ストロー、もしくは、ステンレスパイプ（２）の取付け箇所
【図１】
2011098774.tif 000003
【図２】
2011098774.tif 000004